(57)【要約】      （修正有）【課題】肩ベルトの調節手段のロック機構の作動領域を抑制して、チャイルドシートのレイアウトへの影響を低減させたチャイルドシートを提供する。【解決手段】チャイルドシート１０を、肩ベルト調節手段を、スライド部材と、スライド部材を固定可能とするロック機構５５とを有する構成とし、ロック機構５５を、スライド部材の後面側に配置され上下方向に沿って延び上下方向に移動可能に形成された操作部材５６と、通し穴３６に挿入可能に形成され、操作部材５６の上下動により揺動する揺動レバー部５７と、背もたれ部の後面側に配設され揺動レバー部５７と係止可能に形成された係止部４０と、を有する構成と、を備える。【選択図】図２
2013216297.tif 000002
【特許請求の範囲】
【請求項１】
座面部と、前後方向に沿って貫通する長孔を有する背もたれ部と、肩ベルトの高さ位置を調節をする肩ベルト調節手段と、を備えるチャイルドシートであって、  
前記肩ベルト調節手段は、肩ベルト挿通穴を有し背もたれ部に配設されるスライド部材と、前記スライド部材を固定可能とするロック機構とを有し、
前記背もたれ部には、前後方向に沿って貫通する通し穴を有したスライダガイド部が形成され、
前記スライド部材の後面には、後方向に突出するスライダ部が形成され、
前記通し穴に前記スライダ部が挿入されて、前記スライド部材が上下方向に沿って移動可能にガイドされ、
前記ロック機構は、
前記スライド部材の後面側に配置され上下方向に沿って延び上下方向に移動可能に形成された操作部材と、
前記通し穴に挿入可能に形成され、前記操作部材の上下動により揺動する揺動レバー部と、
前記背もたれ部の後面側に配設され前記揺動レバー部と係止可能に形成された係止部と、
を有していることを特徴とするチャイルドシート。
【請求項２】
前記揺動レバー部が、前記スライダ部で軸部材を水平方向に挿通させて支持され、
前記スライダガイド部の前面側には、前記スライド部材の後面と当接して前記スライド部材を後ろ側に移動するのを防止するスライド部材受けが配設され、
前記スライダガイド部の後側には、前記軸部材と当接して前記スライド部材が前側に移動するのを防止する受け止め部が配設されていることを特徴とする請求項１記載のチャイルドシート。
【請求項３】
前記揺動レバー部が、側面視において、略Ｌ字状に形成され、屈曲部において前記軸部材によって軸支され、前記背もたれ部の前面側で揺動する側の端部で前記操作部材と軸支され、
側面視において、前記操作部材と前記揺動レバー部との軸支部分が、前記背もたれ部の前面側で揺動する側の前記揺動レバー部の揺動範囲の中心線を挟むように移動することを特徴とする請求項２記載のチャイルドシート。
【発明の詳細な説明】
【技術分野】
【０００１】
本発明は、肩ベルトの調節手段を有するチャイルドシートに関する。
【背景技術】
【０００２】
肩ベルトの調節手段を有するチャイルドシートとして、特許文献１に記載されるものがある。これによれば、バックレストに上下方向に沿ってベルト挿通孔を形成して、ヘッドレストを有したスライド部材をベルト挿通孔に沿って移動可能に配設して、ヘッドレストのロック、ロック解除を行なうロック機構を備えていた。
【０００３】
ロック機構は、スライド部材に水平方向を軸にしてハンドルを軸支させて、ハンドルの下端部分に水平方向に沿ってロッドを配設し、バックレストのベルト挿通孔近傍に上下方向に沿ってロッドを受け止め可能な凹部を有したロッド受けを配設し、ロッドをロッド受けの凹部に係合させてスライド部材をロックしていた。
【０００４】
ハンドルの上端部をヘッドレストに近づけるように移動させて、下端側をロッド受けからロッドを脱出させ、スライド部材のロックを解除させてスライド部材を上下方向に移動させていた。
【先行技術文献】
【特許文献】
【０００５】
【特許文献１】米国特許出願公開第２０１０／０２６４７０５号明細書
【発明の概要】
【発明が解決しようとする課題】
【０００６】
しかし、上記のチャイルドシートでは、フロントプレートとリアプレートとの間に形成された空間部分にハンドルが配置され、ハンドルはスライド部材に水平方向を軸にして軸支されているので、スライド部材のロックを解除する際にハンドルの前後方向の作動領域が大きくなり、チャイルドシートのレイアウトに影響を及ぼしていた。
【０００７】
本発明は、肩ベルトの調節手段のロック機構の作動領域を抑制して、チャイルドシートのレイアウトへの影響を低減させたチャイルドシートを提供するものである。
【課題を解決するための手段】
【０００８】
請求項１記載の発明では、座面部と、前後方向に沿って貫通する長孔を有する背もたれ部と、肩ベルトの高さ位置を調節をする肩ベルト調節手段と、を備えるチャイルドシートであって、肩ベルト調節手段を、肩ベルト挿通穴を有し背もたれ部に配設されるスライド部材と、スライド部材を固定可能とするロック機構とを有する構成とし、背もたれ部に、前後方向に沿って貫通する通し穴を有したスライダガイド部を形成して、スライド部材の後面に、後方向に突出するスライダ部を形成して、通し穴にスライダ部を挿入して、スライド部材を上下方向に沿って移動可能にガイドして、ロック機構を、スライド部材の後面側に配置され上下方向に沿って延び上下方向に移動可能に形成された操作部材と、通し穴に挿入可能に形成され、操作部材の上下動により揺動する揺動レバー部と、背もたれ部の後面側に配設され揺動レバー部と係止可能に形成された係止部と、を有する構成としている。
【０００９】
これにより、ロック機構の固定、解除の操作は、操作部材を上下方向に移動させ、揺動レバー部を揺動させて行なうことになる。つまり、ロック機構の作動領域が、操作部材の上下動と揺動レバー部の揺動範囲となり、ロック機構の作動領域を抑制して、チャイルドシートのレイアウトへの影響を低減させることができる。
【００１０】
また、揺動レバー部を、スライダ部で軸部材を水平方向に挿通させて支持して、スライダガイド部の前面側に、スライド部材の後面と当接してスライド部材を後ろ側に移動するのを防止するスライド部材受けを配設して、スライダガイド部の後側に、軸部材と当接してスライド部材が前側に移動するのを防止する受け止め部を配設する構成とすることができる。
【００１１】
これによれば、ロック機構のロックを解除させてスライド部材を上下動させる際に、スライド部材の前後方向へのガタつきを抑制してスライド部材の上下方向への移動をスムーズにすることができる。また、スライド部材の前後方向へのガタつきが抑制されるので、ロック機構のロック時に、位置ずれによる係止部の揺動レバー部の受け止め不良を抑制することができる。
【００１２】
また、揺動レバー部を、側面視において、略Ｌ字状に形成して、屈曲部において軸部材によって軸支して、背もたれ部の前面側で揺動する側の端部で操作部材と軸支して、側面視において、操作部材と揺動レバー部との軸支部分が、背もたれ部の前面側で揺動する側の揺動レバー部の揺動範囲の中心線を挟むように移動するようにしている。
【００１３】
これにより、側面視における、背もたれ部の前面側で揺動する側の揺動レバー部先端の前後方向の移動範囲を抑制することができ、それに伴い操作部材の前後方向の移動範囲を抑制することができる。
【図面の簡単な説明】
【００１４】
【図１】本発明における一実施形態のチャイルドシートの斜視図である。
【図２】本発明における一実施形態のチャイルドシートの背面図である。
【図３】本発明における一実施形態のチャイルドシートの正面図である。
【図４】図２におけるＩＶ−ＩＶ間断面図である。
【図５】図４の二点鎖線丸部分の部分拡大図である。
【図６】図２におけるＶＩ−ＶＩ間断面図である。
【図７】図２におけるＶＩＩ−ＶＩＩ間断面図である。
【図８】図２におけるＶＩＩＩ−ＶＩＩＩ間断面図である。
【図９】図２におけるＩＸ−ＩＸ間断面図である。
【図１０】ロック解除時の図２におけるＩＶ−ＩＶ間断面図である。
【図１１】図１０の二点鎖線丸部分の部分拡大図である。
【図１２】スライド部材を移動させた状態の図２におけるＩＶ−ＩＶ間断面図である。
【発明を実施するための形態】
【００１５】
本発明におけるチャイルドシートの一実施形態を図面に基づいて説明する。以下の説明において、図１の矢印の、Ｆを前、ＲＥを後ろ、Ｒを右、Ｌを左、Ｕを上、Ｄを下、とする。
【００１６】
チャイルドシート１０は、図１乃至５に示すように、ベース１１と、ベース１１に支持された座席部１２と、肩ベルト調節手段５０を有している。座席部１２は、幼児が着座する座面部２０と、背もたれ部３０と、で構成されている。
【００１７】
背もたれ部３０は、骨格となる合成樹脂製のフレーム部３１と、フレーム部３１の幼児が着座する側に配置される緩衝材３２と、緩衝材３２を幼児が着座する側で覆うカバー３３と、から構成されている部分と、肩ベルト調節手段５０が配設される付近のフレーム部３１のみで構成される部分とを有している。なお、図１においては、肩ベルト調節手段５０の後述する、緩衝材５３及びカバー５４は説明のため省略している。
【００１８】
フレーム部３１には、前後方向に沿って貫通する長孔３４が、フレーム部３１の中心線に対して傾斜して二つ設けられている。フレーム部３１の左右方向における中央付近には、スライダガイド部３５が形成されている。
【００１９】
スライダガイド部３５は、図６乃至８に示すように、通し穴３６と、スライド部材受け３８と、受け止め部３９と、を有している。
【００２０】
通し穴３６は、後述するスライダ部５２ｂを挿通可能に、フレーム部３１を前後方向に沿って貫通する、上下方向に長い長穴として形成されている。
【００２１】
フレーム部３１の通し穴３６の左右方向の端部付近は、フレーム部３１に対し前側に屈曲してさらに通し穴３６側に屈曲する屈曲部３７が形成されている。
【００２２】
スライド部材受け３８は、断面視において、屈曲部３７の通し穴３６側の端部においてフレーム部３１の前面から前側に突出して、断面形状が矩形状に形成され、上下方向に沿って配設されている。
【００２３】
受け止め部３９は、スライド部材受け３８と連設され、屈曲部３７の通し穴３６側の端部においてフレーム部３１の後面から後ろ側に突出して、断面形状が前後方向に長い矩形状に形成され、上下方向に沿って配設されている一対の側壁３９ａと、各側壁３９ａの互いに対向する面から中心方向に突出して形成され、断面形状が矩形状に形成され、後側の面が後述する軸部材５８を受け止め可能に形成されている凸部３９ｂと、をそれぞれ有している。各側壁３９ａには、ロック機構５５をロックする際に、後述するシャフト５７ｊと干渉しないように、図５に示すように、半長円形状に凹ませて形成された凹部３９ｃが形成されている。
【００２４】
フレーム部３１の左右方向における長孔３４より端側には、図８に示すように、係止部４０（特許請求の範囲の係止部に相当する）が形成されている。係止部４０は、フレーム部３１を屈曲させ、上下方向からみた断面形状が前側が開放したコ字状に形成されて後側に突出して、上下方向に沿って一対配設され、後述するシャフト５７ｊを受け止め可能な凹部４０ａをそれぞれ有している。凹部４０ａは、後側から前側に向かってシャフト５７ｊを係止可能な半長円形状に凹ませて形成されている。
【００２５】
肩ベルト調節手段５０は、図２乃至８に示すように、スライド部材５１と、肩ベルト調節手段５０をロック可能にするロック機構５５とを有し、通し穴３６を覆い可能に背もたれ部３０の前側に配置されている。
【００２６】
スライド部材５１は、上下方向からみて、左右方向の端部が前側に湾曲して形成され、骨格となる合成樹脂製のフレーム部５２と、フレーム部５２の幼児が着座する側に配置される緩衝材５３と、緩衝材５３を幼児が着座する側から覆うカバー５４と、を有している。
【００２７】
フレーム部５２は、前後方向に貫通する一対の肩ベルト挿通穴５２ａを有している。フレーム部５２の後面には、後方向に突出するスライダ部５２ｂが形成されている。スライダ部５２ｂは、一対の矩形板状の突片で構成されている。フレーム部５２の後面のスライダ部５２ｂの上側には、後側に突出する突片５２ｃが二か所設けられている。
【００２８】
通し穴３６にスライダ部５２ｂが挿入されて、スライド部材５１が上下方向に沿って移動可能にガイドされている。
【００２９】
ロック機構５５は、操作部材５６と、揺動レバー部５７と、係止部５７ｅと、フレーム部３１の係止部４０と、付勢部材５９と、を有して構成されている。
【００３０】
操作部材５６は、合成樹脂製でフレーム部５２の後面側に配置され、上下方向に沿って延び上下方向に移動可能に形成されている。操作部材５６の上端部には、ハンドル部５６ａが設けられている。ハンドル部５６ａは、前後方向からみて略三角形板状に形成され、裏面側からフレーム部５２の後側に略台形枠状に突出して指を引っ掛け可能に形成されている。操作部材５６の下端部には、別体で形成され揺動レバー部５７と連結可能に形成されたフック部５６ｂが設けられている。フック部５６ｂの下端部は、左右方向からみて前側から後ろ側に向かって切り欠かれた切り欠き部５６ｃを有している。操作部材５６は、フレーム部５２の後面に設けられた二つの突片５２ｃを挿通して配置されている。
【００３１】
揺動レバー部５７は、レバー部５７ａと、係止部５７ｅとで構成されている。
【００３２】
レバー部５７ａは、側面視において、合成樹脂製で略Ｌ字状に一対形成され、左右方向に沿って互いに対向するように配置され、後述するシャフト５７ｊが装着される第一揺動部５７ｂと、操作部材５６のフック部５６ｂと連結される第二揺動部５７ｃと、を有し、屈曲部において円筒状の軸部材５８によって左右方向を軸としてスライダ部５２ｂの自由端側で軸支されている。一対の第二揺動部５７ｃ間を左右方向に沿って円筒状の軸部５７ｄが掛け渡され、操作部材５６のフック部５６ｂと連結可能に形成されている。
【００３３】
係止部５７ｅは、基部５７ｆと、シャフト部５７ｉとで構成されている。
【００３４】
基部５７ｆは、上下方向からみて、合成樹脂製で断面コ字状に形成され、スライダガイド部３５を後ろ側から覆うように形成されている。一対の側壁部５７ｇの前側の端部が、屈曲部３７と受け止め部３８とで囲まれた溝部４１に、入り込み可能に形成されている。側壁部５７ｇの内側には、側壁部５７ｇに比して前側の突出量が少ないガイドリブ５７ｈが上下方向に沿って一対配設されている。ガイドリブ５７ｈは、凸部３９ｂの中心側の面と当接可能に形成されている。基部５７ｆは、レバー部５７ａの第一揺動部５７ｂと連設され、ガイドリブ５７ｈ間に配置され基部５７ｆと一体形成されている。
【００３５】
シャフト部５７ｉは、シャフト５７ｊと、シャフト被覆部５７ｌとで構成されている。
【００３６】
シャフト５７ｊは、金属製で円柱状に形成され、レバー部５７ａの第一揺動部５７ｂで装着され左右方向に延びて形成されている。左右方向の端部５７ｋが係止部４０の凹部４０ａと係止可能に形成されている。
【００３７】
シャフト被覆部５７ｌは、基部５７ｆと連設され、シャフト５７ｊを下側以外の部分を合成樹脂で外側から被覆して、外周面が滑面で形成され、肩ベルトＷをガイドするベルトアジャスタとして機能する。
【００３８】
付勢部材５９は、コイルばね６０が用いられ、操作部材５６のフック部５６ｂと、下側の突片５２ｃとの間に配置され、操作部材５６のフック部５６ｂを下側に付勢している。コイルばね６０は、揺動レバー部５７のレバー部５７ａを介してシャフト５７ｊを凹部４０ａ側に付勢している。
【００３９】
チャイルドシート１０の使用態様及び作用について説明する。
【００４０】
予め肩ベルトＷを、長孔３４及び肩ベルト挿通穴５２ａに挿通させて、後面側の端部を座席部１２の下側で固定しておく。前面側の端部を図示しないバックル等と連結しておく。
【００４１】
操作部材５６のハンドル部５６ａを、図４、５の状態から、上側に引っ張り上げると、図１０、１１に示すように、側面視において、スライダ部５２ｂで軸支された、揺動レバー部５７の第二揺動部５７ｃがコイルばね６０の付勢力に抗して上側に回転するとともに、揺動レバー部５７の第一揺動部５７ｂが下側に回転して、係止部４０の凹部４０ａからシャフト５７ｊの端部５７ｋが離脱してロックが解除される。その状態で操作部材５６を上下に移動させると、図１２に示すように、それに応じてスライド部材５１が上下に移動する。なお、図４、５の状態からは下方にのみ移動することになる。座席に座る幼児の体形に合わせてスライド部材５１の高さを調節しつつ、操作部材５６の上側への引っ張りを解除すると、コイルばね６０の付勢力により、図５の状態のように、揺動レバー部５７が回転し、第一揺動部５７ｂが上側に第二揺動部５７ｃが下側に移動し、任意の係止部４０の凹部４０ａにシャフト５７ｊの端部５７ｋが入り込む。
【００４２】
この際、付勢部材５９のコイルばね６０により、操作部材５６から手を離すだけで、係止部４０の凹部４０ａとシャフト５７ｊの端部５７ｋとが係止され、ロック状態となる。
【００４３】
また、スライド部材受け３８及び受け止め部３９は、スライド部材受け３８の前端面が、フレーム部５２の後面と当接してスライド部材５１を後ろ側に移動するのを防止し、受け止め部３９の凸部３９ｂ後側の面が軸部材５８と当接してスライド部材５１を前側に移動するのを防止し、前後方向から挟み込んでスライド部材５１の移動を制限する。
【００４４】
さらに、側面視において、図５、１１に示すように、操作部材５６と揺動レバー部５７との軸支部分が、揺動レバー部５７の第二揺動部５７ｃ揺動範囲の中心線Ｃを挟むように移動するように設定されているので、例えば、図５、１１における中心線Ｃの位置から第二揺動部５７ｃを揺動させる場合に比べ、側面視における、揺動レバー部５７の第二揺動部５７ｃの前後方向の移動量を最大二分の一に抑えるとともに、操作部材５６の前後方向の移動量を抑制する。
【００４５】
側壁部５７ｇの前側の端部が、屈曲部３７と受け止め部３８とで囲まれた溝部４１に、入り込み、ガイドリブ５７ｈは、凸部３９ｂの中心側の面と当接することで、基部５７ｆにより左右方向の移動を規制するので、スライド部材５１の左右方向へのガタつきを抑制することになる。
【００４６】
本実施形態のチャイルドシート１０では、座面部２０と、前後方向に沿って貫通する長孔３４を有する背もたれ部３０と、肩ベルトＷの高さ位置を調節をする肩ベルト調節手段５０と、を備えるチャイルドシート１０であって、肩ベルト調節手段５０を、肩ベルト挿通穴５２ａを有し背もたれ部３０に配設されるスライド部材５１と、スライド部材５１を固定可能とするロック機構５５とを有する構成とし、背もたれ部３０に、前後方向に沿って貫通する通し穴３６を有したスライダガイド３５部を形成して、フレーム部５２の後面に、後方向に突出するスライダ部５２ｂを形成して、通し穴３６にスライダ部５２ｂを挿入して、スライド部材５１を上下方向に沿って移動可能にガイドして、ロック機構５５を、フレーム部５２の後面側に配置され上下方向に沿って延び上下方向に移動可能に形成された操作部材５６と、通し穴３６に挿入可能に形成され、操作部材５６の上下動により揺動する揺動レバー部５７と、フレーム部３１の後面側に配設され揺動レバー５７部と係止可能に形成された係止部４０と、を有する構成としている。
【００４７】
これにより、ロック機構５５の固定、解除の操作は、操作部材５６を上下方向に移動させ、揺動レバー部５７を揺動させて行なうことになる。つまり、ロック機構５５の作動領域が、操作部材５６の上下動と揺動レバー部５７の揺動範囲となり、ロック機構５５の作動領域を抑制して、チャイルドシート１０のレイアウトへの影響を低減させることができる。
【００４８】
また、揺動レバー部５７を、スライダ部５２ｂで軸部材５８を水平方向に挿通させて支持して、スライダガイド部３５の前面側に、フレーム部５２の後面と当接してスライド部材５１を後ろ側に移動するのを防止するスライド部材受け３８を配設して、スライダガイド部３５の後側に、軸部材５８と当接してスライド部材５１を前側に移動するのを防止する受け止め部３９を配設する構成としている。
【００４９】
これによれば、ロック機構５５のロックを解除させてスライド部材５１を上下動させる際に、スライド部材５１の前後方向へのガタつきを抑制してスライド部材５１の上下方向への移動をスムーズにすることができる。また、スライド部材５１の前後方向へのガタつきが抑制されるので、ロック機構５５のロック時に、位置ずれによる係止部４０の凹部４０ａのシャフト５７ｊの端部５７ｋの受け止め不良を抑制することができる。
【００５０】
また、揺動レバー部５７を、側面視において、略Ｌ字状に形成して、屈曲部において軸部材５８によって軸支して、第一揺動部５７ｂの端部で操作部材５６と軸支して、側面視において、操作部材５６と揺動レバー部５７との軸支部分が揺動レバー部５７の第二揺動部５７ｃの揺動範囲の中心線Ｃを挟むように移動するようにしている。
【００５１】
これにより、側面視における、揺動レバー部５７の第二揺動部５７ｃ先端の前後方向の移動範囲を抑制することができ、それに伴い操作部材５６の前後方向の移動範囲を抑制することができる。
【００５２】
また、揺動レバー部５７を屈曲させない形状とし、一端側でフレーム部５２と軸支して、他端側でシャフト５７ｊを装着して、中間部で操作部材５６のフック部５６ｂで軸支することもできる。このような構成としても、ロック機構５５の作動領域を抑制して、チャイルドシート１０のレイアウトへの影響を低減させることができる。
【符号の説明】
【００５３】
１０  チャイルドシート
２０  座面部
３０  背もたれ部
３４  長孔
３５  スライダガイド部
３６  通し穴
３８  スライド部材受け
３９  受け止め部
４０  係止部
５０  肩ベルト調節手段
５１  スライド部材
５２ａ  肩ベルト挿通穴
５２ｂ  スライダ部
５５  ロック機構
５６  操作部材
５７  揺動レバー部
５７ｂ  第一揺動部
５７ｃ  第二揺動部
５８  軸部材
Ｃ  中心線
Ｗ  肩ベルト
【図１】
2013216297.tif 000003
【図２】
2013216297.tif 000004
【図３】
2013216297.tif 000005
【図４】
2013216297.tif 000006
【図５】
2013216297.tif 000007
【図６】
2013216297.tif 000008
【図７】
2013216297.tif 000009
【図８】
2013216297.tif 000010
【図９】
2013216297.tif 000011
【図１０】
2013216297.tif 000012
【図１１】
2013216297.tif 000013
【図１２】
2013216297.tif 000014